(57)【要約】【課題】受本体へ、電灯線により点灯する電気ランプ部材と、ロウソクとを交換自在に設けることができ、かつ、これらを兼用使用することができる照明器具および照明器具の切替接続体を提供する。【解決手段】上部にめねじ部材６を有する受本体１と、この受本体１へ切替接続体１４を介してロウソク２ｂからなる照明体２を着脱自在に設けるか、受本体１へ電気ランプ部材２ａからなる照明体２を着脱自在に設ける照明器具Ａにあって、切替接続体１４は、受本体１のめねじ部材６へ螺合する下端部におねじ体１８を有する脱着部材１９と、この脱着部材１９の上部に突設させた芯切部材２０とからなる。【選択図】    図１
2005044641.tif 000002
【特許請求の範囲】
【請求項１】
受本体と、この受本体へ着脱自在に設ける照明体とを備えた照明器具にあって、
前記受本体は、下部に載置面へ安定的に載置される支持体と、この支持体の上部に設けて、前記照明体を立設させる内周部にめねじ部材を設けた取付体とを有し、
前記照明体は、電源により点灯して照明する電気ランプ部材と、点火により照明するロウソクとのどちらか一方を選択的に用いるもので、
前記電気ランプ部材の使用における前記照明器具は、前記受本体と、この受本体へ着脱自在に設ける照明体における電気ランプ部材とからなり、前記電気ランプ部材の下端部に設けたおねじ部材を前記受本体における取付体のめねじ部材に螺合して一体的とし、
前記ロウソクの使用における前記照明器具は、受本体と、この受本体へ着脱自在に設ける照明体におけるロウソクと、このロウソクと前記受本体とを一体的にする切替接続体とからなり、
前記切替接続体は、前記受本体における取付体のめねじ部材へ螺合する下端部におねじ体を有する脱着部材と、この脱着部材の上部に突設させた芯切部材とからなり、
前記着脱部材に設けたおねじ体を前記受本体における取付体のめねじ部材へ、螺合し、前記芯切部材へ前記ロウソクの下端部を挿嵌して一体的にしたことを特徴とする照明器具。
【請求項２】
切替接続体における芯切部材の下側部に、溶けたロウソクを受けるロウ皿部材を設けたことを特徴とする請求項１記載の照明器具。
【請求項３】
上部にめねじ部材を有する受本体と、この受本体へ切替接続体を介してロウソクか電気ランプ部材からなる照明体を着脱自在に設ける照明器具にあって、
前記切替接続体は、前記受本体のめねじ部材へ螺合する下端部におねじ体を有する脱着部材と、この脱着部材の上部に突設させた芯切部材とからなることを特徴とする照明器具用の切替接続体。
【請求項４】
切替接続体における芯切部材の下側部に、溶けたロウソクを受けるロウ皿部材を設けたことを特徴とする請求項３記載の照明器具の切替接続体。
【発明の詳細な説明】
【技術分野】
【０００１】
本発明は、受本体へ、電灯線により点灯する電気ランプ部材と、ロウソクとを交換自在にかつ兼用使用することができる照明器具および照明器具の切替接続体に関する。
【背景技術】
【０００２】
従来、仏壇等において使用される燭台にあっては、ロウソクを立てることが一般的であり、勤行時には、このロウソクへ点灯して行っていた。
しかし、ロウソクへの点火や消火あるいは該ロウソクの取り替え等が面倒である、とのような手間を省くために、簡便に電球による点灯および消灯が行える電気ロウソクが普及している。（例えば、特許文献１参照）
【０００３】
【特許文献１】実開昭６３−９９５８３号
【０００４】
しかしながら、この電球式蝋燭立は、日常的な簡単な勤行にあっては、電気ロウソクを使用することで、その簡便性が得られるものであるが、この電気ロウソクは、いかにも作り物のロウソクの感覚が抜けきらず、節目の仏事や法要，法会などにあっては、法事儀式としての荘厳性に欠けるものであった。
【発明の開示】
【発明が解決しようとする課題】
【０００５】
本発明は前記した問題点を解決するためになされたもので、上部にめねじ部材を有する受本体と、この受本体へ切替接続体を介してロウソクか電気ランプ部材からなる照明体を着脱自在に設ける照明器具にあって、切替接続体は、受本体のめねじ部材へ螺合する下端部におねじ体を有する脱着部材と、この脱着部材の上部に突設させた芯切部材とからなることにより、受本体へ、電灯線により点灯する電気ランプ部材と、ロウソクとを交換自在に設けることができ、かつ、これらを兼用使用することができる照明器具および照明器具の切替接続体を提供することを目的としている。
【課題を解決するための手段】
【０００６】
前記した目的を達成するための本発明の手段は、
受本体と、この受本体へ着脱自在に設ける照明体とを備えた照明器具にあって、
前記受本体は、下部に載置面へ安定的に載置される支持体と、この支持体の上部に設けて、前記照明体を立設させる内周部にめねじ部材を設けた取付体とを有し、
前記照明体は、電源により点灯して照明する電気ランプ部材と、点火により照明するロウソクとのどちらか一方を選択的に用いるもので、
前記電気ランプ部材の使用における前記照明器具は、前記受本体と、この受本体へ着脱自在に設ける照明体における電気ランプ部材とからなり、前記電気ランプ部材の下端部に設けたおねじ部材を前記受本体における取付体のめねじ部材に螺合して一体的とし、
前記ロウソクの使用における前記照明器具は、受本体と、この受本体へ着脱自在に設ける照明体におけるロウソクと、このロウソクと前記受本体とを一体的にする切替接続体とからなり、
前記切替接続体は、前記受本体における取付体のめねじ部材へ螺合する下端部におねじ体を有する脱着部材と、この脱着部材の上部に突設させた芯切部材とからなり、
前記着脱部材に設けたおねじ体を前記受本体における取付体のめねじ部材へ、螺合し、前記芯切部材へ前記ロウソクの下端部を挿嵌して一体的にした照明器具の構成にある。
【０００７】
切替接続体における芯切部材の下側部に、溶けたロウソクを受けるロウ皿部材を設ける。
【０００８】
そして、
上部にめねじ部材を有する受本体と、この受本体へ切替接続体を介してロウソクか電気ランプ部材からなる照明体を着脱自在に設ける照明器具にあって、
前記切替接続体は、前記受本体のめねじ部材へ螺合する下端部におねじ体を有する脱着部材と、この脱着部材の上部に突設させた芯切部材とからなる照明器具用の切替接続体の構成にある。
【０００９】
切替接続体における芯切部材の下側部に、溶けたロウソクを受けるロウ皿部材を設ける。
【発明の効果】
【００１０】
本発明の照明器具および照明器具の切替接続体は、受本体へ、電灯線により点灯する電気ランプ部材と、ロウソクとを交換自在に設けることができ、かつ、これらを兼用使用することができる。
【発明を実施するための最良の形態】
【００１１】
次に本発明に関する照明器具および照明器具の切替接続体の一実施例を図面に基づいて説明する。
図１〜図３においてＡは照明器具で、仏壇（図示せず）等に使用されるもので、受本体１と、照明体２とにより基本的に構成される。
【００１２】
そして、前記した受本体１は、下部に載置面３へ安定的に載置される支持体４と、この支持体４から上方へ所定長さ（高さ）の筒状に延設された主体５と、この主体５の上部に設けて、照明体２を立設させる内周部にめねじ部材６を設けた取付体７とを有する。
【００１３】
取付体７は、受本体１における主体５の上部において、該主体５に設けた空洞部８へ挿嵌してあって、めねじ部材６の部分が通電部となって、後記する照明体２における電気ランプ部材２ａのおねじ部材１１と螺合することで該電気ランプ部材２ａへ給電する。
更には、取付体７のめねじ部材６が照明体２の取付部となる。
【００１４】
また、この取付体７の下側には、屋内に配線した電灯線におけるコンセント（図示せず）へ接続するプラグ（図示せず）を設けた配線コード９を連結してある。この配線コード９（９ａ）は、図１に示すように、取付体７の下側における支持体４の外周部適所に穿設した通孔４ａから引き出すことで、該配線コード９（９ａ）の始末が良好となる。
更に、該配線コード９（９ａ）の引き出し位置にあっては、図示してないが、主体５の適所（高さ方向の位置や周方向の位置）な位置に設けることができるものである。
【００１５】
前記した照明体２は、受本体１の取付体７へ着脱自在に設けて、適宜点灯させるもので、この照明体２は、図２に示すように、屋内に配線した電灯線等の電源（図示せず）により点灯して照明する電気ランプ部材２ａと、図３に示すように、点火（炎）により照明するロウソク２ｂとのどちらか一方を選択的に用いる。
【００１６】
このうち、電気ランプ部材２ａによる照明体２は、筒状体１０の下端部に設けたおねじ部材１１を取付体７のめねじ部材６に螺合して受体１側へ一体的に取り付けられる。
また、筒状体１０の上端部には、電球体１２がねじの螺合や、嵌合等の止着手段１３により取り付けられているもので、該電球体１２は筒状体１０に対して着脱自在に設けられる。
そして、電球体１２は、図２に示すように、配線部材９ａにより筒状体１０の下端部に設けたおねじ部材１１と接続して通電状態を形成させてある。
【００１７】
なお、コンセント（図示せず）に接続する配線コード９の取り付けにあっては、図４に示すように、電球体１２の止着手段１３における筒状体１０側に設けた取付部１３ａへ連結した配線部材９ａを利用することができるもので、筒状体１０の適所に穿設した通孔２１より外方へ出してその先端部にプラグ（図示せず）を取り付ける。
【００１８】
また、ロウソク２ｂによる照明体２は、ロウソク２ｂと、このロウソク２ｂと受本体１とを一体的にする切替接続体１４とからなる。
ロウソク２ｂは、慣用のものが使用できるもので、例えば、芯材１５の外周部へ円柱状にロウ１６を固めたものが用いられる。
更に、ロウ１６の下側部には、後記する切替接続体１４と係合する止め孔１７が設けられている。
【００１９】
前記した切替接続体１４は、受本体１における取付体７のめねじ部材６へ螺合する下端部におねじ体１８を有する脱着部材１９と、この脱着部材１９の上部に突設させた芯切部材２０とからなる。
このおねじ体１８は、電気ランプ部材２ａによる照明体２のおねじ部材１１と同様形状に形成される。
したがって、このロウソク２ｂによる照明体２は、着脱部材１９に設けたおねじ体１８を受本体１における取付体７のめねじ部材６へ螺合し、芯切部材２０へロウソク２ｂの下端部に設けた止め孔１７を挿嵌することで、一体的な照明器具Ａが構成される。
【００２０】
なお、この切替接続体１４における芯切部材２０の下側部（基部）には、必要に応じて、ロウ皿部材２２を設けることができるもので、これにより、点火に伴って、溶けたロウソク（ロウ１６）を受けることで、受本体１における取付体７や主体５の空洞部８へのロウ１６の侵入を防止する。
このロウ皿部材２２は、例えば、図７に示すように、受本体１の上部形状に見合う形状に形成すると共に、溶けたロウソク（ロウ１６）の所定量を蓄溜し得る容積を有するもので、垂直方向へ切断したその断面が、略半円形状に形成されその開口部が上方へ向くように設けられる。
また、芯切部材２０の下側部（基部）への取り付けにあっては、このロウ皿部材２２の中心部に取付孔（図示せず）を設け、芯切部材２０へ挿嵌して接着等により固定するもので、このロウ皿部材２２と芯切部材２０とを一体的に形成してもよい。
【００２１】
したがって、前記のように構成される本発明に係る一実施例の照明器具Ａ（照明器具における照明方法）および照明器具の切替接続体１４は、以下に述べる作用を奏する。
まず、照明体２に電気ランプ部材２ａを用いるときは、図２，図５に示すように、受本体１における取付体７のめねじ部材６へ、電気ランプ部材２ａにおけるおねじ部材１１を螺合して固定させると、このおねじ部材１１の外周部が通電体により形成されているめねじ部材６と接触し、おねじ部材１１の下端部（端子）が取付体７側の端子に接触するので、配線コード９からの電源が電気ランプ部材２ａへの給電を行う状態となるので、スイッチ（図示せず）等を操作すると、筒状体１０の上部に取り付けられた電球体１２へ給電され、該電球体１２が点灯されて照明される。
【００２２】
また、照明体２にロウソク２ｂを用いるときは、図３，図６に示すように、受本体１における取付体７のめねじ部材６へ、切替接続体１４のおねじ体１８を螺動して固定させる。このとき、おねじ体１８の外周部は通電体により形成されているめねじ部材６と接触するが、おねじ体１８にあって、取付体７側の端子には接触しないので、配線コード９からの切替接続体１４への給電は行われない。
【００２３】
そして、受本体１の上部に取り付けられた切替接続体１４の芯切部材２０へロウソク２ｂの止め孔１７を刺し込めば、該ロウソク２ｂは切替接続体１４を介して受本体１に取り付けられる。
これにより、ロウソク２ｂの芯材１５へ火を付ければ、その炎により点灯し照明される。
【００２４】
このように、受本体１の取付体７に対して、電気ランプ部材２ａのおねじ部材１１を螺合するか、切替接続体１４のおねじ体１８を螺合するかにより、照明体２において、電気ランプ部材２ａとロウソク２ｂとが選択的に、かつ、兼用使用をすることができる。
【００２５】
なお、前記した切替接続体１４は、既存（本発明実施例以外）の電気ロウソク（照明器具）における取付体のめねじ部材へ、その着脱部材１９に設けたおねじ体１８を螺合させて固定することで、前記既存の電気ロウソクが一般的なロウソク立てに代えることができる。
したがって、上記のように、照明器具Ａにおける照明方法が実施される。
【図面の簡単な説明】
【００２６】
【図１】本発明に関する照明器具の一実施例の選択使用できる状態を示す斜視図である。
【図２】図１における照明器具の電気ランプ部材の使用状態を半断面して示す正面図である。
【図３】図１における照明器具のロウソクの使用状態を半断面して示す正面図である。
【図４】図２における照明器具に使用する電気ランプ部材の他の例を半断面して示す正面図である。
【図５】図２における照明器具の電気ランプ部材の使用状態を示す要部の拡大断面図である。
【図６】図３における照明器具のロウソクの使用状態を示す要部の拡大断面図である。
【図７】図３における照明器具のロウソクの使用において、切替接続体にロウ皿部材を設けた例を示すもので、（ａ）は要部の一部を破断した正面図を、（ｂ）は（ａ）における平面図である。
【符号の説明】
【００２７】
Ａ…照明器具．１…受本体．２…照明体．２ａ…照明体２である電気ランプ部材．２ｂ…照明体２であるロウソク．４…支持体．６…めねじ部材．７…取付体．１４…切替接続体．１８…おねじ体．１９…着脱部材．２０…芯切部材．２２…ロウ皿部材．
【図１】
2005044641.tif 000003
【図２】
2005044641.tif 000004
【図３】
2005044641.tif 000005
【図４】
2005044641.tif 000006
【図５】
2005044641.tif 000007
【図６】
2005044641.tif 000008
【図７】
2005044641.tif 000009